(57)【特許請求の範囲】
【請求項１】
ディスクに記録された情報を再生する、または／および、情報をディスクに記録するヘッドと、
ディスクを回転させるモータと、
前記モータの回転数を制御する回転数制御手段と、
ディスクに設けられた案内溝の蛇行をウォブル信号として検出するウォブル信号検出器と
を備え、
前記モータが所定の回転数で回転し、前記ヘッドが所定の位置にあるときに所定の周波数が検出されるよう、前記ウォブル信号が規定され、
前記回転数制御手段が前記所定の回転数とは異なる他の回転数でディスクを回転させるよう前記モータを制御した状態で、前記ウォブル信号検出器が前記ウォブル信号の周波数を検出し、前記他の回転数に対応する周波数であるか否か判断する
ディスク記録再生装置。
【請求項２】
ディスクに記録された情報を再生する、または／および、情報をディスクに記録するヘッドと、
ディスクを回転させるモータと、
前記モータの回転数を制御する回転数制御手段と、
ディスクに設けられた案内溝の蛇行をウォブル信号として検出するウォブル信号検出器と
を備え、
前記モータが所定の回転数で回転し、前記ヘッドが所定の位置にあるときに所定の周波数が検出されるよう、前記ウォブル信号が規定され、
前記ウォブル信号の検出は、ディスクの回転数が前記所定の回転数に到達するまでの期間内に行われる
ディスク記録再生装置。
【請求項３】
ディスクに記録された情報を再生する、または／および、情報をディスクに記録するヘッドと、
ディスクを回転させるモータと、
前記モータの回転数を制御する回転数制御手段と、
ディスクに設けられた案内溝の蛇行をウォブル信号として検出するウォブル信号検出器と
を備え、
前記モータが所定の回転数で回転し、前記ヘッドが所定の位置にあるときに所定の周波数が検出されるよう、前記ウォブル信号が規定され、
前記ウォブル信号を検出する場合には前記回転数制御手段は前記所定の回転数でディスクを回転させるよう前記モータを制御し、
前記ヘッドを前記所定の位置からずらした状態で前記ウォブル信号検出器が前記ウォブル信号の周波数を検出し、前記ヘッドの位置に対応する周波数であるか否か判断する
ディスク記録再生装置。
【請求項４】
ディスクに記録された情報を再生する、または／および、情報をディスクに記録するヘッドと、
ディスクを回転させるモータと、
前記モータの回転数を制御する回転数制御手段と、
ディスクに設けられた案内溝の蛇行をウォブル信号として検出するウォブル信号検出器と
を備え、
前記モータが所定の回転数で回転したときに所定の周波数が検出されるよう、前記ウォブル信号が規定され、
前記案内溝の蛇行には基本周波と前記基本周波よりも高周波の成分が含まれ、
前記ウォブル信号を検出する場合には前記回転数制御手段は前記所定の回転数でディスクを回転させ、
前記ウォブル信号検出器は前記ウォブル信号の周波数を検出し、前記基本周波に対応する前記所定の周波数であるか否かに加えて、前記高周波成分に対応する高周波も含まれているか否かをも判断する
ディスク記録再生装置。
【発明の詳細な説明】
【０００１】
【発明の属する技術分野】
この発明は、光ディスク等の情報記録用のディスクと、その記録再生を行うディスク記録再生装置に関し、より詳しくは、ディスクを再生しても良いか否かを判別することが可能なディスク記録再生装置およびディスクに関するものである。
【０００２】
【従来の技術】
例えば光ディスクには、音楽用ＣＤ（Compact Disc）やＣＤ−ＲＯＭ（CD-Read Only Memory）、或いはＤＶＤ−Ｖｉｄｅｏ（Digital Versatile Disc-Video）、ＤＶＤ−Ａｕｄｉｏ、ＤＶＤ−ＲＯＭに代表される再生専用ディスクと、ＣＤ−Ｒ（CD-Recordable）、ＣＤ−ＲＷ（CD-ReWritable）或いはＤＶＤ−Ｒ（DVD-Recordable）、ＤＶＤ−ＲＡＭ（DVD-Rewritable）、ＤＶＤ−ＲＷ（DVD-Re-recordable）に代表されるような記録再生が可能な記録再生用ディスクとがある。
【０００３】
さて、記録再生用ディスクの記録再生を行うディスク記録再生装置では、記録再生用ディスク以外に再生専用ディスクも再生可能であることが要求される。よって、ディスクが挿入された時に、そのディスクが再生専用ディスクであるか記録再生用ディスクであるかを判断する必要がある。
【０００４】
また、再生専用ディスクを再生する再生専用装置であっても、コピー禁止の情報が記録された記録再生用ディスクの再生を防ぐなど再生情報の著作権保護の観点から、挿入されたディスクが再生専用ディスクであるのか記録再生用ディスクであるのかの種別を判別することが要求される。
【０００５】
そこで、挿入されたディスクが記録再生用ディスクであるのか再生専用ディスクであるのか、また、記録再生用ディスクと判断した場合には記録済みであるのか否か、更に、記録済みでない場合には全く未記録か途中まで記録されているのか、を判別する必要がある。そのような判別を行うことが可能なディスク記録再生装置として、特許番号第２７５１６２９号公報に紹介された技術がある。
【０００６】
例えばＤＶＤ−Ｒなどの記録再生用ディスクでは、トラッキングのための案内溝がディスクの記録部分の面上に設けられており、さらに案内溝が所定の周期でウォブリング（wobbling：蛇行）している。従って、未記録のディスクであっても、この案内溝のウォブリングを示す信号（以下、ウォブル信号と称する）を読みとることにより、ディスクの回転数を制御することが可能となる。
【０００７】
一方、再生専用ディスクでは信号がピットの形ですでに刻まれており、再生信号から回転数を制御するため、記録再生用ディスクにあるようなウォブル信号は必要がない。そこで、このウォブル信号を読みとることにより、挿入されたディスクが記録再生用か再生専用かを判別できる。このような判別方法を採用するのが、上記の特許番号第２７５１６２９号公報の技術である。
【０００８】
図７は、上記公報の技術の構成を示したブロック図である。図７において、符号１はディスク、符号２はディスク１を回転させるディスクモータ、符号３はディスク１に信号を記録する或いはディスク１から信号を読みとる光ヘッド、符号４はウォブル信号の有無を検出し、検出結果を二値出力５として出力するウォブル信号検出器である。また、符号６は読みとった記録信号からアドレス情報の復調デコードを行うアドレスデコーダ、符号７はアドレスデコーダ６から読み出されるアドレス情報、符号８は光ヘッド３で読み出される記録信号直流レベルを二値信号として検出する再生信号直流レベル検出器、符号９は再生信号レベル二値出力である。
【０００９】
次にこの技術の動作について説明する。図８は図７のディスク記録再生装置の動作を示すフローチャートである。図８において、符号Ｓ０〜Ｓ８はそれぞれ各ステップを示す。
【００１０】
まず、装置にディスク１が挿入されることにより、光ヘッド３からディスク１に記録された各種の情報が読み出され、挿入されたディスクを区別する動作が開始される（ステップＳ０）。そして、ウォブル信号検出器４によりウォブル信号の有無が二値出力５として検出され（ステップＳ１）、ウォブル信号が無い場合（例えば二値出力５が「Ｌ」の場合）、再生専用ディスクと判断して動作を終了する（ステップＳ６、Ｓ５）。
【００１１】
反対にステップＳ１でウォブル信号が検出された場合（例えば二値出力５が「Ｈ」の場合）、アドレスエンコーダ６でディスク１のリードインエリアにアドレス情報が記録されているか否かが検出される（ステップＳ２）。そして、リードインエリアでアドレス情報が検出された場合には、記録済の記録再生用ディスクであると判断して動作を終了する（ステップＳ７、Ｓ５）。
【００１２】
一方、リードインエリアでアドレス情報が検出されない場合には、アドレスデコーダ６によって今度はディスク１のプログラムメモリエリアにアドレス情報が記録されているか否かが検出される（ステップＳ３）。プログラムメモリエリアにアドレス情報が記録されている場合には、途中まで記録された記録再生用ディスクであると判断して動作を終了する（ステップＳ８、Ｓ５）。
【００１３】
また、プログラムメモリエリアにアドレス情報が記録されていない場合には、未だ何も記録されていない未記録の記録再生用ディスクであると判断し、動作を終了する（ステップＳ４、Ｓ５）。
【００１４】
ここで、ウォブル信号の検出方法について図９〜図１３を用いて説明する。ウォブル信号とは、ウォブリングした案内溝上を光ヘッド３からの光ビームによりトラッキングした場合に、直流分に重畳した形でプッシュプルトラッキングセンサの検出信号に現れる正弦波状の信号である。
【００１５】
図９に示すように、ディスク１上の案内溝２０ｂは正弦波状に蛇行しており、案内溝の中心は符号２１で示す正弦波状の破線である。しかし、光ヘッド３からの光ビームの到達点である光スポット２３は、トラッキング状態であってもこの蛇行に追従することはできずに、中心線２２で示すようにほぼ直線状に進む。従って微視的に見れば、光スポット２３は案内溝２０ｂのウォブリングの振幅分だけオフトラックしている。
【００１６】
そこで、図１０に示すようなプッシュプルトラッキングセンサを用いてウォブリングを検出するのである。図１０に示すプッシュプルトラッキングセンサは、二分割光検知器２５ａ、２５ｂおよび比較器２６を備え、二分割光検知器２５ａ、２５ｂでディスク１からの反射光である光スポット２４を受光する。そして、二分割光検知器の一方の光検知部分２５ａと他方の光検知部分２５ｂとの信号強度の差分が比較器２６において求められ、そこから得られるプッシュプルトラッキングセンサの検出信号（以下、プッシュプル信号と称する）２７が、図１１に示すようにウォブリングの周期（ウォブル周波数をｆ０［Ｈｚ］とする）に同期した正弦波状の信号となる。これがウォブル信号である。
【００１７】
なお、このようなプッシュプルトラッキングセンサは光ヘッド３の内部に設けられ、その出力たるプッシュプル信号２７を、図７中に示したウォブル信号検出器４に送出する。また、ウォブル信号は、光ヘッド３が所定の位置に配置されてモータ２が所定の回転数になったときに、規定された値の周波数が出力される。
【００１８】
一方、再生専用ディスクの場合は、図１２に示すようにディスク１には案内溝が無く、ピット２８が並んでいる。記録再生用ディスクと同じように光ヘッド３からの光ビームの到達点である光スポット２３をピット２８に当てた場合、プッシュプルトラッキングセンサの検出信号には、直流分に重畳される正弦波状の信号が現れない。すなわち、プッシュプル信号は得られるが、ピット列がウォブリングしていないのでトラッキング状態ではオフトラックが無く、プッシュプル信号は図１３に示すようにほぼゼロで一定の信号となる。
【００１９】
従って、トラッキング状態でこのプッシュプル信号を検出することにより、記録再生用ディスクであるか否かが判断できる。
【００２０】
【発明が解決しようとする課題】
ところで、記録再生専用ディスクには、複製の禁止されているコンテンツなどの情報が記録される場合がある。情報の著作権保護の観点から、このようなディスクがディスク記録再生装置に挿入された場合には、例えば再生を禁止するような保護対策が必要である。
【００２１】
図１４は、この保護対策の一例を示すフローチャートであり、符号Ｔ０〜Ｔ６は各ステップを示す。
【００２２】
まず、装置にディスク１が挿入されることにより、光ヘッド３からディスク１に記録された各種の情報が読み出され、挿入されたディスクを判別する動作が開始される（ステップＴ０）。そして、上記の例と同様、ウォブル信号の有無が検出され（ステップＴ１）、ウォブル信号が無い場合は再生専用ディスクと判断し、再生動作へ進む（ステップＴ４、Ｔ６）。
【００２３】
一方、ウォブル信号が検出された場合は記録再生用ディスクと判断し、情報の内容がコピー禁止であるか否かの判断を行う（ステップＴ２）。なお、コピー禁止の判断については、例えばＳＣＭＳ（Serial Copy Management System）方式で情報の記録を行うことなどにより実現できる。
【００２４】
そして、記録された情報がコピー禁止でない場合は再生可能と判断し、再生動作へと進む（ステップＴ５、Ｔ６）。一方、コピー禁止である場合は再生動作を停止する（ステップＴ３）。
【００２５】
さて、上記のような保護対策を取る場合には、コピー禁止であるか否かの判断は、ウォブル信号の検出を行って再生専用ディスクと記録再生用ディスクの種別を判別することにより可能となる。
【００２６】
しかしながら、光ディスクに形成されるウォブル信号の周波数には、光ディスクの各種ごとに固有の規定値が用いられ、検出されるウォブル信号の周波数帯域は特定の範囲に限定されている。
【００２７】
このため、図１５に示すように、プッシュプルトラッキングセンサとウォブル信号検出器４との間にウォブル信号周波数帯域に一致または隣接した帯域の信号のみを急峻に減衰させるノッチフィルタ２９を挿入すれば、ウォブル信号の除去が簡単に可能となってしまう。すなわち、ウォブル信号の検出が不可能になり、ディスクの種別の判断を誤るという問題が生じる。
【００２８】
ディスクの種別の判断を誤ると、コピー禁止の情報が記録された記録再生用ディスクであるにもかかわらず、図１４中のステップＴ１において当該ディスクが再生専用ディスクであると判断されてしまい、再生の停止を行うことができない。
【００２９】
この発明は、上述の課題を解決するためになされたものであって、ノッチフィルタを用いてのウォブル信号の除去を防止してウォブル信号検出能力を向上させ、コピー禁止の情報が記録された記録再生用ディスクの排出を可能にするディスク記録再生装置を実現するものである。
【００３０】
【課題を解決するための手段】
請求項１に記載の発明は、ディスクに記録された情報を再生する、または／および、情報をディスクに記録するヘッドと、ディスクを回転させるモータと、前記モータの回転数を制御する回転数制御手段と、ディスクに設けられた案内溝の蛇行をウォブル信号として検出するウォブル信号検出器とを備え、前記モータが所定の回転数で回転し、前記ヘッドが所定の位置にあるときに所定の周波数が検出されるよう、前記ウォブル信号が規定され、前記回転数制御手段が前記所定の回転数とは異なる他の回転数でディスクを回転させるよう前記モータを制御した状態で、前記ウォブル信号検出器が前記ウォブル信号の周波数を検出し、前記他の回転数に対応する周波数であるか否か判断するディスク記録再生装置である。
【００３１】
請求項２に記載の発明は、ディスクに記録された情報を再生する、または／および、情報をディスクに記録するヘッドと、ディスクを回転させるモータと、前記モータの回転数を制御する回転数制御手段と、ディスクに設けられた案内溝の蛇行をウォブル信号として検出するウォブル信号検出器とを備え、前記モータが所定の回転数で回転し、前記ヘッドが所定の位置にあるときに所定の周波数が検出されるよう、前記ウォブル信号が規定され、前記ウォブル信号の検出は、ディスクの回転数が前記所定の回転数に到達するまでの期間内に行われるディスク記録再生装置である。
【００３２】
請求項３に記載の発明は、ディスクに記録された情報を再生する、または／および、情報をディスクに記録するヘッドと、ディスクを回転させるモータと、前記モータの回転数を制御する回転数制御手段と、ディスクに設けられた案内溝の蛇行をウォブル信号として検出するウォブル信号検出器とを備え、前記モータが所定の回転数で回転し、前記ヘッドが所定の位置にあるときに所定の周波数が検出されるよう、前記ウォブル信号が規定され、前記ウォブル信号を検出する場合には前記回転数制御手段は前記所定の回転数でディスクを回転させるよう前記モータを制御し、前記ヘッドを前記所定の位置からずらした状態で前記ウォブル信号検出器が前記ウォブル信号の周波数を検出し、前記ヘッドの位置に対応する周波数であるか否か判断するディスク記録再生装置である。
【００３３】
請求項４に記載の発明は、ディスクに記録された情報を再生する、または／および、情報をディスクに記録するヘッドと、ディスクを回転させるモータと、前記モータの回転数を制御する回転数制御手段と、ディスクに設けられた案内溝の蛇行をウォブル信号として検出するウォブル信号検出器とを備え、前記モータが所定の回転数で回転したときに所定の周波数が検出されるよう、前記ウォブル信号が規定され、前記案内溝の蛇行には基本周波と前記基本周波よりも高周波の成分が含まれ、前記ウォブル信号を検出する場合には前記回転数制御手段は前記所定の回転数でディスクを回転させ、前記ウォブル信号検出器は前記ウォブル信号の周波数を検出し、前記基本周波に対応する前記所定の周波数であるか否かに加えて、前記高周波成分に対応する高周波も含まれているか否かをも判断するディスク記録再生装置である。
【００３５】
【発明の実施の形態】
＜実施の形態１＞
本実施の形態は、規定値どおりにウォブル信号の周波数を検出するのではなく、ディスクモータの回転数を変えてウォブル信号の周波数を規定値と異なった値で検出することにより、ウォブル信号検出能力を向上させ、コピー禁止の情報が記録された記録再生用ディスクの排出を可能にするディスク記録再生装置である。
【００３６】
図１はこの発明の実施の形態１に係るディスク記録再生装置を示す図である。図１において、図７に示した従来の技術と同一の符号は、同一または相当部分を示す。すなわち、図１において、符号１はディスク、符号２はディスク１を回転させるディスクモータ、符号３はディスク１に信号を記録する或いはディスク１から信号を読みとる光ヘッド、符号４はウォブル信号の有無を検出し、検出結果を二値出力５として出力するウォブル信号検出器である。なお、光ヘッド３内には図１０に示したプッシュプルトラッキングセンサが設けられている。
【００３７】
また、符号３０はディスクモータ２の回転数を制御するモータ回転数制御部である。なお、ウォブル信号検出器４とモータ回転数制御部３０とは、データのやりとり、および回転数の制御が可能なようにデータバスで接続されている。
【００３８】
次にこのディスク記録再生装置の動作について説明する。まず、ディスクモータ２により回転されたディスク１に光ヘッド３からビームが照射される。そして、光スポットをフォーカシングおよびトラッキングすることにより、光ヘッド３からプッシュプル信号が生成される。なお、記録再生用ディスクの場合にはウォブリング周波数に対応したウォブル信号が得られる。
【００３９】
通常は、モータ回転数制御部３０はウォブル信号検出器４からこのウォブル信号の情報を得て、規定の回転数になるようにモータの回転数を制御する。前述のように、光ディスクに形成されたウォブル信号は、光ディスクの各種ごとに固有の規定値が設定されるので、光ヘッド３を規定の位置に移動せしめ規定周波数に対応した回転数Ｒで再生すれば、検出されるウォブル信号の周波数はその規定値ｆ０［Ｈｚ］となる。
【００４０】
ここで、モータ回転数制御部３０により、規定回転数Ｒのｋ倍の回転数でディスクモータ２の回転を制御すれば、光ヘッド３からはｋ×ｆ０［Ｈｚ］のウォブル信号が生成される。
【００４１】
従って本実施の形態においては、モータ回転数制御部３０において回転数の係数ｋを任意に設定しておき、ウォブル信号の検出を設定されたｋ倍の周波数として検出するようにする。すなわち、ディスクモータ２が規定回転数Ｒで回転したときに規定周波数ｆ０が検出されるようウォブル信号が規定されている状況において、ウォブル信号検出時にはモータ回転数制御部３０が他の回転数ｋ×Ｒでディスク１を回転させるようモータ２を制御し、その状態でウォブル信号検出器４がウォブル信号の周波数を検出して、対応する周波数ｋ×ｆ０であるか否か判断するのである。
【００４２】
なお、ウォブル信号検出器４とモータ回転数制御部３０とはデータバスにより接続されているので、ウォブル信号検出器４は、モータ回転数制御部３０において設定された係数を知ることができ、正しいウォブル信号を検出することができる。
【００４３】
本実施の形態に係るディスク記録再生装置によれば、ウォブル信号を検出する場合にはモータ回転数制御部３０は規定の回転数Ｒとは異なる他の回転数ｋ×Ｒでディスク１を回転させるようモータ２を制御し、他の回転数の状態でウォブル信号検出器４がウォブル信号を検出し、他の回転数に対応する周波数ｋ×ｆ０であるか否か判断するので、ウォブル信号の周波数を規定値ｆ０から変化させて検出できる。よって、ウォブル信号を無効化してしまうノッチフィルタのフィルタリング周波数を外すことが可能となり、ノッチフィルタが付加された場合であっても、記録再生用ディスクと再生専用ディスクとの判別を正しく行うことが可能となる。よって、ウォブル信号検出能力を向上させることができ、コピー禁止の情報が記録された記録再生用ディスクの排出が可能となる。
【００４４】
＜実施の形態２＞
本実施の形態は、ウォブル信号の検出が、ディスクの回転数が規定の回転数に到達するまでの期間内に行われるようにしたものである。
【００４５】
なお、本実施の形態にかかるディスク記録再生装置は、図１に示した実施の形態１にかかるディスク記録再生装置と同様の構成とすればよい。
【００４６】
図２は、本実施の形態にかかるディスク記録再生装置における、ディスクの回転数およびウォブル信号とディスク１の回転が立ち上がる時間との関係を示すものである。図２において、横軸はディスク１の回転が起動してからの時間、縦軸はディスクモータ２の回転数およびウォブル信号の周波数を示す。
【００４７】
ディスク１が挿入されてからディスクモータ２が規定の回転数Ｒに到達するまでには時間Ｔを要するが、この間に光ヘッド３において光スポットをフォーカシングおよびトラッキングすることは可能であり、当然、ウォブル信号を読み出すことも可能である。
【００４８】
規定の回転数でのウォブル信号の規定の周波数はｆ０［Ｈｚ］であることは実施の形態１において既に説明したが、ディスクの回転数が規定の回転数に到達するまでの時間Ｔの期間内は、ウォブル信号の周波数はｆ０［Ｈｚ］以下である。従って、この期間内に記録再生用ディスクであるか否かの判別を行うことによっても、実施の形態１にかかるディスク記録再生装置と同様の効果をもたらすことになる。
【００４９】
またさらに、ディスクの回転数が規定の回転数に到達するまでの期間内にウォブル信号の検出が行われるので、ウォブル信号の有無がディスク挿入後、速やかに判断できるという効果もある。
【００５０】
＜実施の形態３＞
本実施の形態は、ディスクモータの回転数を変更するのではなく、光ヘッドの位置を規定の場合から変えて、ウォブル信号の周波数を規定値と異なった値で検出することにより、ウォブル信号検出能力を向上させ、コピー禁止の情報が記録された記録再生用ディスクの排出を可能にするディスク記録再生装置である。
【００５１】
なお、本実施の形態にかかるディスク記録再生装置も、図１に示した実施の形態１にかかるディスク記録再生装置と同様の構成とすればよい。
【００５２】
図３は、本実施の形態にかかるディスク記録再生装置において、ディスク１の再生位置を示した図である。なお、図３において一点鎖線Ｌはディスク１の半径の方向を示し、符号ｒ１〜ｒ３はディスク１の中心から半径方向Ｌ上の位置までの距離を示している。
【００５３】
ディスク記録再生装置においては、ディスク１が挿入された後、ディスクの認識等の一連の初期段階の処理がなされていくが、ディスク１からの情報を読みとる位置は、ディスクの種類ごとによって様々である。仮にいま、光ヘッド３が内周位置（図３の距離ｒ１の位置）にあるときに初期段階の処理が実施されるとする。この場合、この位置でのウォブル信号の周波数が規定のｆ０［Ｈｚ］になるようにディスクモータ２の回転数が設定される。
【００５４】
さて、この初期段階において、ディスクモータ２の回転数を固定したまま光ヘッド３の位置を半径方向Ｌの方に変化させ、例えば中周位置（図３の距離ｒ２の位置）や外周位置（図３の距離ｒ３の位置）に移動させると、例えばＤＶＤ−Ｒなどでは線速度一定（ＣＬＶ：Constant Linear Velocity）の仕様であるため、ウォブル信号の周波数が規定のｆ０［Ｈｚ］よりも高くなる。
【００５５】
このことを以下に詳述する。例えば図３において、距離ｒ１の位置でディスクモータ２の回転数を固定した場合を考える。回転数が固定されておれば、ウォブル信号の周波数は線速度に、線速度は再生位置での円周の長さに、再生位置での円周の長さは半径に比例するので、結局、各々の位置でのウォブル信号周波数は半径に比例する。図３中のｒ１〜ｒ３の各々の位置でのウォブル信号周波数をｆｉ（ｉ＝１，２，３）とすると、ｆｉ＝ｆ１×（ｒｉ／ｒ１）で周波数を求めることができる。
【００５６】
例としてここで、ｒ１＝２４ｍｍ、ｒ２＝４１ｍｍ、ｒ３＝５８ｍｍとした場合の結果を表１に示す。なお、距離ｒ１でのウォブル信号周波数をｆ０［Ｈｚ］としている。
【００５７】
【表１】
0003983467.tif 000002
【００５８】
表１から明らかなように、異なる半径の位置では規定の周波数（ｆ０［Ｈｚ］）とは異なった周波数のウォブル信号が得られる。すなわち、光ヘッド３を規定の位置からずらした状態でウォブル信号検出器４がウォブル信号の周波数を検出し、光ヘッド３の位置に対応する周波数となっているかどうかを判断することにより、ヘッドの位置に応じてウォブル信号の周波数を規定値から変化させて検出できる。よって、ウォブル信号を無効化してしまうノッチフィルタのフィルタリング周波数を外すことが可能となり、ノッチフィルタが付加された場合であっても、記録再生用ディスクと再生専用ディスクとの判別を正しく行うことが可能となる。その結果、ウォブル信号検出能力を向上させることができ、コピー禁止の情報が記録された記録再生用ディスクの排出が可能となる。
【００５９】
＜実施の形態４＞
本実施の形態は、ディスクの案内溝のウォブリングに基本周波と基本周波よりも高周波の成分とが含まれるようにし、ウォブル信号を検出する際に、基本周波のウォブリングに対応する周波数に加えて高周波のウォブリングに対応する周波数も検出するようにしたディスク記録再生装置である。高周波のウォブリングが含まれることにより、ノッチフィルタが付加された場合であっても、高周波が周波数固定のノッチフィルタを通り抜けてウォブル信号検出能力を向上させることができる。
【００６０】
なお、本実施の形態にかかるディスク記録再生装置も、図１に示した実施の形態１にかかるディスク記録再生装置と同様の構成とすればよい。
【００６１】
図４は、本実施の形態にかかるディスク記録再生装置に用いられるディスク１の案内溝の仕様について示したもので、一本の案内溝を拡大して示したものである。案内溝２０ａは、従来のディスクと同様にディスクが規定の回転数で回転制御された場合にウォブル信号がｆ０［Ｈｚ］の信号となるように正弦波状にウォブリングしている（図中点線で示す、なお、このｆ０［Ｈｚ］の信号を基本周波と称する）。
【００６２】
しかしここではさらに、案内溝２０ａのウォブリングに高周波が重畳されている。なお、図４では基本周波数の５倍となる５×ｆ０［Ｈｚ］の正弦波が重畳された例を示している。図９に示したように、光ヘッド３の光スポットは案内溝の上をほぼ直線状に読み取るので、直線からずれた量がウォブル信号として検出される。従って、図４のような案内溝２０ａを読み取った場合には、図５に示すような、案内溝２０ａの形状を反映したプッシュプル信号（ウォブル信号）が得られる。また、横軸を周波数とし、縦軸を信号強度としてスペクトルで表すと図６のようになる。
【００６３】
そして、ウォブル信号検出器４において、ウォブル信号が案内溝２０ａの基本周波に対応する規定の周波数ｆ０であるか否かに加えて、ウォブル信号に案内溝２０ａの高周波成分に対応する高周波も含まれているか否かをも判断する。そうすれば、たとえノッチフィルタが付加されて基本周波に対応する規定の周波数ｆ０が除去された場合であっても、高周波が周波数固定のノッチフィルタを通り抜けてくるので、記録再生用ディスクと再生専用ディスクとの判別を正しく行うことが可能となる。よって、ウォブル信号検出能力を向上させることができ、コピー禁止の情報が記録された記録再生用ディスクの排出が可能となる。
【００６４】
なお、案内溝の高周波成分は、回路の周波数帯域を考慮して上限値のみを規定しておき、実際に重畳する値は、各ディスクメーカーが自由に選択できるようにしておけばよい。そうすれば、高周波成分の周波数がディスクによって異なることになり、高周波成分がノッチフィルタで除去される可能性が低くなり、より記録再生用ディスクの判別を正しく行うことが可能となる。
【００６５】
なお、ディスク記録再生装置で高周波成分の周波数を認識して検出する際には、あらかじめコントロールデータゾーンにその周波数を記載しておき、この情報を入手した後にウォブル信号の判別を行えばよい。また、上記周波数はあらかじめ決められた複数の値としておくことで、コントロールデータゾーンには周波数ではなくタイプとして記録しておくことも可能であり、装置側での判別回路の構築が容易となる。
【００６６】
【発明の効果】
請求項１に記載の発明によれば、回転数制御手段が規定の回転数とは異なる他の回転数でディスクを回転させるようモータを制御した状態でウォブル信号検出器がウォブル信号を検出し、他の回転数に対応する周波数であるか否か判断するので、ウォブル信号の周波数を規定値から変化させて検出できる。よって、ウォブル信号を無効化してしまうノッチフィルタのフィルタリング周波数を外すことが可能となり、ノッチフィルタが付加された場合であっても、記録再生用ディスクと再生専用ディスクとの判別を正しく行うことが可能となる。よって、ウォブル信号検出能力を向上させることができ、コピー禁止の情報が記録された記録再生用ディスクの排出が可能となる。
【００６７】
請求項２に記載の発明によれば、ウォブル信号の検出は、ディスクの回転数が規定の回転数に到達するまでの期間内に行われるので、ウォブル信号の周波数を規定値から変化させて検出できる。よって、ウォブル信号を無効化してしまうノッチフィルタのフィルタリング周波数を外すことが可能となり、ノッチフィルタが付加された場合であっても、記録再生用ディスクと再生専用ディスクとの判別を正しく行うことが可能となる。よって、ウォブル信号検出能力を向上させることができ、コピー禁止の情報が記録された記録再生用ディスクの排出が可能となる。また、ディスクの回転数が所定の回転数に到達するまでの期間内にウォブル信号の検出が行われるので、ウォブル信号の有無が速やかに判断できる。
【００６８】
請求項３に記載の発明によれば、ウォブル信号を検出する場合には回転数制御手段は所定の回転数でディスクを回転させるようモータを制御し、ヘッドを所定の位置からずらした状態でウォブル信号検出器がウォブル信号を検出し、ヘッドの位置に対応する周波数であるか否か判断するので、ヘッドの位置に応じてウォブル信号の周波数を規定値から変化させて検出できる。よって、ウォブル信号を無効化してしまうノッチフィルタのフィルタリング周波数を外すことが可能となり、ノッチフィルタが付加された場合であっても、記録再生用ディスクと再生専用ディスクとの判別を正しく行うことが可能となる。その結果、ウォブル信号検出能力を向上させることができ、コピー禁止の情報が記録された記録再生用ディスクの排出が可能となる。
【００６９】
請求項４に記載の発明によれば、ウォブル信号検出器はウォブル信号の周波数を検出し、基本周波に対応する所定の周波数であるか否かに加えて、高周波成分に対応する高周波も含まれているか否かをも判断するので、ノッチフィルタが付加された場合であっても、高周波が周波数固定のノッチフィルタを通り抜けてくるので、記録再生用ディスクと再生専用ディスクとの判別を正しく行うことが可能となる。よって、ウォブル信号検出能力を向上させることができ、コピー禁止の情報が記録された記録再生用ディスクの排出が可能となる。
【図面の簡単な説明】
【図１】  実施の形態１に係るディスク記録再生装置を示すブロック図である。
【図２】  実施の形態２に係るディスク記録再生装置において、ディスクの回転の起動からの時間とディスクの回転数およびウォブル信号周波数の関係を示す図である。
【図３】  実施の形態３に係るディスク記録再生装置において、ディスクの信号を読みとる位置の違いを示す図である。
【図４】  実施の形態４に係るディスク記録再生装置において用いられるディスクの案内溝のウォブリングの形状を示す図である。
【図５】  実施の形態４に係るディスク記録再生装置においてディスクを再生した時に得られるプッシュプル信号を示す図である。
【図６】  実施の形態４に係るディスク記録再生装置においてディスクを再生した時に得られるプッシュプル信号のスペクトルを示す図である。
【図７】  従来のディスク記録再生装置を示すブロック図である。
【図８】  従来のディスク記録再生装置の動作を示すフローチャートである。
【図９】  記録再生用ディスクの案内溝と光スポットとの関係を示す図である。
【図１０】  プッシュプル信号を生成するプッシュプルトラッキングセンサを示す図である。
【図１１】  記録再生用ディスクでトラッキング状態に得られるプッシュプル信号を示す図である。
【図１２】  再生専用ディスクのピット列と光スポットとの関係を示す図である。
【図１３】  再生専用ディスクでトラッキング状態に得られるプッシュプル信号を示す図である。
【図１４】  ディスク記録再生装置でディスクの判別を行う場合の過程を示したフローチャートである。
【図１５】  ウォブル信号を用いたディスク判別方式において、ウォブル信号を除去して検出させない方法を示すブロック図である。
【符号の説明】
１  ディスク、２  ディスクモータ、３  光ヘッド、４  ウォブル信号検出器、２０ａ  案内溝、３０  モータ回転数制御部。
【図１】
0003983467.tif 000003
【図２】
0003983467.tif 000004
【図３】
0003983467.tif 000005
【図４】
0003983467.tif 000006
【図５】
0003983467.tif 000007
【図６】
0003983467.tif 000008
【図７】
0003983467.tif 000009
【図８】
0003983467.tif 000010
【図９】
0003983467.tif 000011
【図１０】
0003983467.tif 000012
【図１１】
0003983467.tif 000013
【図１２】
0003983467.tif 000014
【図１３】
0003983467.tif 000015
【図１４】
0003983467.tif 000016
【図１５】
0003983467.tif 000017